(57)【要約】【課題】  洗面器、手洗い器、洗髪器などの陶器の加工装置において、陶器を加工装置に固定する際の固定治具の数が少なくして、しかも短時間に固定が行うことができる陶器の加工装置を提供する。【解決手段】  排水口を有する焼成後の陶器の加工装置であって、前記陶器を載置するテーブルと、前記排水口の入口部と出口部を挟持して前記陶器を前記テーブルに固定する排水口固定手段とを備えた。前記テーブルと前記排水口固定手段の一方が磁性体部を、他方が磁力発生部を備え、磁力によって前記排水口固定手段を前記テーブルに固定する。【選択図】  図７
2005212108.tif 000002
【特許請求の範囲】
【請求項１】
排水口を有する焼成後の陶器の加工装置であって、
前記陶器を載置するテーブルと、前記排水口の入口部と出口部を挟持して前記陶器を前記テーブルに固定する排水口固定手段と、を備えたことを特徴とする陶器の加工装置。
【請求項２】
前記テーブルと前記排水口固定手段の一方が磁性体部を、他方が磁力発生部を備え、磁力によって前記排水口固定手段を前記テーブルに固定することを特徴とする請求項１記載の陶器の加工装置。
【請求項３】
前記テーブルが前記磁性体部を、前記排水口固定手段が前記磁力発生部を備え、前記磁力発生部は一体的に突設して形成され前記排水口の内部に嵌装し前記入口部から突出する突出部と、前記出口部が載置する陶器載置部と、前記突出部に係合して前記入口部に当接する当接部材とから構成することを特徴とする請求項２記載の陶器の加工装置。
【請求項４】
前記突出部の端部に雄螺子部を設け、前記当接部材に雌螺子部を設けて、前記当接部材と前記突出部とを螺合して連結することを特徴とする請求項３記載の陶器の加工装置。
【請求項５】
前記テーブルの上面にＬ字型の立設壁面部を備えたことを特徴とする請求項１乃至４のいずれかに記載の陶器加工装置。
【請求項６】
前記立設壁面部に前記陶器の背面を固定する少なくとも１つ以上の背面固定手段を配設したことを特徴とする請求項５記載の陶器の加工装置。
【請求項７】
前記立設壁面と前記背面固定手段の一方が磁性体部を、他方が磁力発生部を備え、磁力によって前記背面固定手段を前記立設壁面部に固定することを特徴とする請求項６記載の陶器の加工装置。
【請求項８】
前記陶器を前記テーブルに載置した状態で前記陶器を前記テーブルに向かって押付ける押付手段を設けたことを特徴とする請求項１乃至７のいずれかに記載の陶器の加工装置。
【発明の詳細な説明】
【技術分野】
【０００１】
本発明は、排水口を有する焼成後の陶器である洗面器、手洗い器、洗髪器などの衛生陶器等の加工装置に係り、特に異なる品番或いは同じ品番でも焼成歪の大きなものに対応するのに好適な陶器の加工装置に関する。 
【背景技術】
【０００２】
従来、洗面器、手洗い器、洗髪器などの衛生陶器の焼成後の穴明け加工においては、衛生陶器に応じて専用の固定治具の治具本体部をあらかじめ陶器の加工装置のテーブル上にボルト等で固定し、その後前記治具本体部に加工する衛生陶器を載置して衛生陶器の外側面部をその左右から複数の固定ボルトで締付けて挟み込むようにしてテーブルに固定している。その際、衛生陶器の前後左右の傾きを所定の寸法にするために衛生陶器の固定ボルトが当接する部分にスペーサー等を配設して調整を行っている。
【０００３】
しかし、前記衛生陶器等の陶器においては、自由曲面が多くしかも焼成時の歪により焼成後の寸法バラツキも大きいため、同じ品番の陶器であっても加工する際の固定治具、スペーサー等の調整部材を複数種準備しておく必要があり、また、所定の位置に固定する作業も手間がかかる問題がある。
【発明の開示】
【発明が解決しようとする課題】
【０００４】
本発明は、上記問題を解決するためになされたもので、洗面器、手洗い器、洗髪器などの陶器の加工装置において、陶器を加工装置に固定する際の固定治具の数が少なくして、しかも短時間に固定が行うことができる陶器の加工装置を提供することを目的とする。
【課題を解決するための手段】
【０００５】
上記目的を達成するために、請求項１記載の本発明は、排水口を有する焼成後の陶器の加工装置であって、前記陶器を載置するテーブルと、前記排水口の入口部と出口部を挟持して前記陶器を前記テーブルに固定する排水口固定手段と、を備えたことを特徴とする。
【０００６】
このように構成された本発明においては、品番違いの多くの陶器、あるいは焼成歪の大きな陶器の排水口の入口側と出口側を挟持することでテーブルへ固定することが容易に行える。
【０００７】
また、本発明において、好ましくは、前記テーブルと前記排水口固定手段の一方が磁性体部を、他方が磁力発生部を備え、磁力によって前記排水口固定手段を前記テーブルに固定する。前記磁力発生部としては、電磁石、永久磁石、若しくはそれらを組み合わせたもので構成する。
【０００８】
このように構成された本発明においては、磁気の吸引力により陶器をテーブルの任意の位置に容易に固定することが可能となる。
【０００９】
また、本発明において、好ましくは、前記テーブルが前記磁性体部を、前記排水口固定手段が前記磁力発生部を備え、前記磁力発生部は一体的に突設して形成され前記排水口の内部に嵌装され前記入口部から突出する突出部と、前記排水口の出口部が載置する陶器載置部と、前記突出部に係合して前記排水口の入口部に当接する入口部当接部材とから構成する。
【００１０】
このように構成された本発明においては、排水口固定手段の突出部を陶器の排水口の出口部から挿入した後、前記入口部から突出した部分に入口部当接部材を係合させることにより、排水口が入口部当接部材と陶器載置部とによって挟持される。
【００１１】
また、本発明において、好ましくは、  前記突出部の端部に雄螺子部を設け、前記入口部当接部材に雌螺子部を設けて、前記入口部当接部材と前記突出部とを螺合して連結する。
このように構成された本発明においては、入口部当接部材と突出部との係合が簡単な構成で実現できる。
【００１２】
また、本発明において、好ましくは、前記テーブルの上面にＬ字型の立設壁面部を備える。  
このように構成された本発明においては、洗面器など壁面に取り付ける背面を有する陶器を加工する場合、前記背面が立設壁面部に接触するように固定でき、壁向きの力が拘束されるので加工時の抵抗が大きな場合でも陶器の倒れや回転が発生しにくくなり、加工作業が容易に行える。
【００１３】
また、本発明において、好ましくは、前記立設壁面部に前記陶器の背面を固定する少なくとも１つ以上の背面固定手段を配設する。
このように構成された本発明においては、陶器の背面も固定できるので、加工抵抗がさらに大きな場合でも倒れや回転が発生しにくくなる。
【００１４】
また、本発明において、好ましくは、前記立設壁面と前記背面固定手段の一方が磁性体部を、他方が磁力発生部を備え、磁力によって前記背面固定手段を前記立設壁面部に固定する。
このように構成された本発明においては、背面固定手段を立設壁面部の任意の位置に簡単に固定することができるようになり、品番が異なる多くの陶器、あるいは焼成歪の大きな陶器の背面を容易に支えることができる。
【００１５】
また、本発明において、好ましくは、前記陶器を前記テーブルに載置した状態で前記陶器を前記テーブルに向かって押付ける押付手段を設ける。  
このように構成された本発明においては、陶器のテーブルへの固定力を高めることができ、加工作業が安定する。
【発明の効果】
【００１６】
本発明によれば、洗面器、手洗い器、洗髪器などの衛生陶器の加工装置において、自由曲面が多く焼成歪も大きなワークあるいは多品番のワークを、最小限の治具を用いて短時間に加工装置のテーブルへ固定することができ、生産性、経済性により優れた加工装置を提供することができるという効果がある。
【発明を実施するための最良の形態】
【００１７】
添付図面に基づいて、本発明の実施形態の陶器の加工装置について説明する。図１は陶器の加工装置の平面図、図２は陶器の加工装置の側面図である。
【００１８】
２は陶器の加工装置で、本体フレーム２５と、本体フレーム２５に設けられＸＹ平面上を移動可能な磁性体で構成したテーブル平面部２１ａ及び立設したテーブル壁面部２１ｂとからなる断面形状がＬ字型のテーブル２１と、本体フレーム２５上部に設けられ、回転および上下移動できるスピンドル２４と、スピンドル２４に取り付けられる電着工具２２と、研削液を加工部に供給するクーラントノズル２３と、研削液のクーラントノズル２３への供給を行うクーラント装置２７と、研削液の飛散を防止する研削液回収カバー２６と、テーブル平面部２１ａ上に配設される排水口固定部材４０と、テーブル壁面部２１ｂに配設される背面固定部材４５と、テーブル２１両側面に配設される固定ベルト４９とから構成されている。
【００１９】
図３は陶器の排水口を介して陶器を加工装置に固定するための排水口固定部材４０の説明図である。排水口固定部材４０は、テーブル平面部２１ａの任意の位置への脱着が可能な永久磁石を内蔵したマグネットブロック４１と、マグネットブロック４１の磁力の付勢／解除の切り替えを行う切り替えスイッチ４２と、陶器の排水口に挿入する排水口固定本体部４３と、締付けナット４４から構成される。排水口固定本体部４３はマグネットブロック４１と反対側部には締付けナット４４が螺合する雄螺子部４３ｂ、陶器の出口部が載置する陶器載置部４３ａが形成されている。
図３（ａ）は雄螺子部４３ｂに締付けナット４４を螺合した状態、図３（ｂ）は雄螺子部４３ｂから締付けナット４４を取り外した状態を示す図である。排水口固定部材４０のテーブル平面部２１ａへの脱着は、マグネットブロック４１の切り替えスイッチ４２のＯＮ／ＯＦＦで磁力の付勢/解除を切り替えて行う。
【００２０】
図４は陶器の背面固定部材４５の説明図である。この背面固定部材４５は、テーブル壁面部２１ｂの任意の位置への脱着が可能な永久磁石を内蔵したマグネットブロック４６と、マグネットブロック４６の磁力の付勢／解除の切り替えを行う切り替えスイッチ４７と，背面支持部４８から構成される。背面固定部材４５のテーブル壁面部２１ｂへの脱着は、マグネットブロック４６の切り替えスイッチ４７のＯＮ／ＯＦＦで磁力の付勢/解除を切り替えて行う。
背面支持部４８の構成としては、（ａ）に示すように平板形状をなして陶器背面１２を下方から支持して陶器の倒れを防ぐもの、（ｂ）に示すように断面がコ字形状をなしてネジ５０で背面１２を挟圧保持して、陶器の倒れ、浮上り、回転を防ぐものがある。
【００２１】
次に、図１３に示す陶器製の排水口１１を備えた洗面器１の水栓取付け穴１３の穴開け加工を例に、図５〜図１２を用いて陶器の加工装置２と洗面器１の加工装置２への固定方法について説明する。
図５は洗面器１を陶器の加工装置２に固定した状態を示す平面図で、図６は図５の側面図である。陶器の加工装置２の各構成は図１〜図４と同様であるので説明を省略する。図７は洗面器１を加工装置２のテーブル２１に固定した状態を示す図である。
【００２２】
まず、図８に示すように、排水口固定部材４０を洗面器１の背面１２がテーブル壁面部２１ｂから離れた位置となるようにテーブル平面部２１ａに載置する。そして、マグネットブロック４１の切り替えスイッチ４２を“ＯＮ”にして磁力付勢をしてテーブル平面部２１ａに固定する。この状態で上方から洗面器１の排水口１１の出口部１１ｂ側を下方にして、排水口固定本体部４３が排水口１１内に挿入されるように下ろして行って排水口１１の出口部１１ｂ周縁部を陶器載置部４３ａに載置する。次に、排水口１１の入口部１１ａ側に突出した排水口固定本体部４３の雄螺子部４３ｂに締付けナット４４を螺合して締め込んで、排水口１１の入口部１１ａ側と出口部１１ｂ側を挟圧保持する。
【００２３】
続いて、図９に示すように、排水口固定部材４０のマグネットブロック４１の切り替えスイッチ４２を“ＯＦＦ”の状態にして磁力付勢を解除する。そして、テーブル平面部２１ａ上で排水口固定部材４０を滑らせて、洗面器１の背面１２がテーブル壁面部２１ｂに当接する。背面１２がテーブル壁面部２１ｂに当接した状態で水栓取付け孔１３の中心がテーブル２１に対して所定位置になるように排水口固定部材４０をテーブル平面部２１ａ上を滑らせて移動させる。所定位置に移動した後、切り替えスイッチ４２を“ＯＮ”として、洗面器１のテーブル平面部２１ａ上での位置決めを完了する。
【００２４】
続いて、図１０に示すように、背面固定部材４５のマグネットブロック４６の切り替えスイッチ４７を“ＯＦＦ”の状態でテーブル壁面部２１ｂを滑らせ、洗面器１の背面１２の下面を支持する背面支持部４８が接する位置で切り替えスイッチ４７を“ＯＮ”にして、背面固定部材４５の位置決めを完了する。なお、本実施の形態においては、図５に示すように背面固定部材４５を２ヶ用いて背面１１２の左右方向の両側部近傍を支持している。
【００２５】
最後に、図１１に示すように、テーブル２１前方へ退避させておいた固定ベルト４９、４９を洗面器１の上方に渡し、バランスを取りながら締付け、洗面器１をテーブル２１に押し付けて固定を完了する。
【００２６】
次に、洗面器１を陶器の加工装置２に固定した状態で、予め穿設された水栓取り付け穴１３の穴明け加工の方法について説明する。
まず、テーブル２１をＸＹ方向に移動して水栓取り付け孔１３の位置と電着工具２２の芯を一致させる。その後、クーラント装置２７を起動して研削駅をクーラントノズル２３から吐出させ、電着工具２２が回転しながら下降する。
水栓取り付け穴１３が開口した後、電着工具２２が回転しながら上昇し、洗面器１から離間した所定位置で電着工具２２の上昇、回転、及びクーラント装置２７の運転を停止して、孔開け加工が完了する。
【００２７】
上記実施の形態においては、洗面器１と排水口固定部材４０の固定作業をテーブル２１上で行っているが、他の作業台上で行うこともできる。  
【００２８】
また、洗面器１をテーブル２１に固定する際、排水口固定部材４０と背面固定部材４５及び固定ベルト４９、４９で固定しているが、穴開け加工時の加工抵抗が比較的小さい場合には、図９に示すように排水口固定部材４０のみで固定する、図１０に示すように排水口固定部材４０と背面固定部材４５で固定する、図１２に示すように排水口固定部材４０と固定ベルト４９、４９で固定することもできる。  
【００２９】
また、排水口固定部材４０とテーブル平面部２１ａとの固定、背面固定部材４５とテーブル壁面部２１ｂとの固定を、それぞれ永久磁石を内蔵したマグネットブロック４１、４６の磁気吸引力により固定しているが、電磁石、永久磁石と電磁石の組み合わせたものを用いることもできる。
【００３０】
また、上記実施の形態とは逆に、テーブル平面部２１ａに磁力発生部を設けて、排水口固定部材４０に磁性体部を備えた構成とすることもできる。また、テーブル壁面部２１ｂに磁力発生部を設けて、背面固定部材４５に磁性体部を備えた構成とすることもできる。
【００３１】
また、洗面器の予め穿設されていない部位に穴を開口、加工することもできる。
【図面の簡単な説明】
【００３２】
【図１】本発明の実施の形態に係る陶器の加工装置の平面図。
【図２】図１に示す陶器の加工装置の側面図。
【図３】陶器を排水口を介して加工装置に固定するための排水口固定部材の説明図。
【図４】陶器の背面固定部材の説明図。
【図５】洗面器を陶器の加工装置に固定した状態を示す平面図。
【図６】洗面器を陶器の加工装置に固定した状態を示す側面図。
【図７】洗面器を陶器の加工装置のテーブルに固定した状態を示す図。
【図８】陶器の加工装置のテーブル上で洗面器と排水口固定部材とを固定した状態を示す図。
【図９】陶器の加工装置のテーブル上で洗面器と排水口に固定部材とを固定した後、洗面器の背面をテーブル壁面部に当接した状態を示す図。
【図１０】洗面器と排水口固定部材とを固定し、洗面器の背面を背面固定部材で支持した状態を示す図。
【図１１】洗面器を排水口固定部材、背面固定部材及び固定ベルトで固定した状態を示す図。
【図１２】洗面器を排水口固定部材と固定ベルトとで固定した状態を示す図。
【図１３】洗面器の平面図。
【符号の説明】
【００３３】
１…洗面器
２…陶器の加工装置
１１…排水口
１１ａ…入口部
１１ｂ…入口部
１２…背面
１３…水栓取り付け穴
２１…テーブル
２１ａ…テーブル平面部
２１ｂ…テーブル壁面部
２２…電着工具
２３…クーラントノズル
２４…スピンドル
２５…本体フレーム
２６…研削液回収カバー
２７…クーラント装置
４０…排水口固定部材
４１…マグネットブロック
４２…切り替えスイッチ
４３…排水口固定本体部
４３ａ…陶器載置部
４３ｂ…雄螺子部
４４…締付けナット
４５…背面固定部材
４６…マグネットブロック
４７…切り替えスイッチ
４８…背面支持部
４９…固定ベルト
５０…ネジ
【図１】
2005212108.tif 000003
【図２】
2005212108.tif 000004
【図３】
2005212108.tif 000005
【図４】
2005212108.tif 000006
【図５】
2005212108.tif 000007
【図６】
2005212108.tif 000008
【図７】
2005212108.tif 000009
【図８】
2005212108.tif 000010
【図９】
2005212108.tif 000011
【図１０】
2005212108.tif 000012
【図１１】
2005212108.tif 000013
【図１２】
2005212108.tif 000014
【図１３】
2005212108.tif 000015